(57)【要約】【課題】保存されているデータを識別可能な可搬記録媒体を提供することである。【解決手段】可搬記録媒体１０は、画像データが記録された装置に接続するための接続部１２と、接続部１２を介して取得された画像データを記録し、画像データに関連する属性が定められた格納部１８が予め形成された記録部１４と、画像データに関連する記号を表示する表示部１６と、を備え、載置された場合に表示部１６が載置された面と反対側の上面に位置する。【選択図】図１
0003197782.tif 000002
【実用新案登録請求の範囲】
【請求項１】
画像データが記録された装置に接続するための接続部と、
前記接続部を介して取得された前記画像データを記録し、前記画像データに関連する属性が定められた格納部が予め形成された記録部と、
前記画像データに関連する記号を表示する表示部と、
を備える可搬記録媒体であって、
載置された場合に前記表示部が前記載置された面と反対側の上面に位置することを特徴とする可搬記録媒体。
【請求項２】
請求項１に記載の可搬記録媒体において、
前記記号は、前記画像データが撮影された年号を含むことを特徴とする可搬記録媒体。
【請求項３】
請求項１または請求項２に記載の可搬記録媒体において、
前記記号は、前記画像データに写っている人に関連する文字を含むことを特徴とする可搬記録媒体。
【請求項４】
請求項１から請求項３のいずれか１項に記載の可搬記録媒体は、ＵＳＢメモリであることを特徴とする可搬記録媒体。
【考案の詳細な説明】
【技術分野】
【０００１】
本考案は、可搬記録媒体に係り、特に、画像データが記録される可搬記録媒体に関する。
【背景技術】
【０００２】
近年、デジタルカメラやスマートフォンの普及により、写真を画像データとして保存することが一般的となっている。この画像データ数が増えれば増えるほど、パソコンに保存したり、ＵＳＢメモリなどの可搬記録媒体に保存する場合に、管理が煩雑となる。
【０００３】
これに対し、例えば、特許文献１には、撮像素子と顔認識エンジンが搭載されたパソコンにおいて、顔認識のために予め複数の使用者の顔を登録しておき、画像データをパソコンに保存する場合に、顔認識により誰が今画像を入力しているかを判断して自動フォルダ分けをする機能が開示されている。
【先行技術文献】
【特許文献】
【０００４】
【特許文献１】特開２０１２−１０２１１号公報
【考案の概要】
【考案が解決しようとする課題】
【０００５】
上記特許文献１の構成によれば、管理の煩雑さが緩和される。しかしながら、特許文献１の構成では、撮像素子と顔認識エンジンを備えた複雑な構成を有する高機能なパソコンが必要であり、パソコン操作に慣れていない、例えば、年配の方が写真を管理するのは困難である。また、万一、パソコンが故障した場合にデータが消えてしまう虞がある。したがって、ＵＳＢなどの可搬記録媒体をバックアップとして、かつ、アルバムの代わりとして用いられることが望まれるが、一般的な可搬記録媒体は、保存されているデータを一見して識別できない。
【０００６】
本考案の目的は、保存されているデータを識別可能な可搬記録媒体を提供することである。
【課題を解決するための手段】
【０００７】
本考案に係る可搬記録媒体は、画像データが記録された装置に接続するための接続部と、前記接続部を介して取得された前記画像データを記録し、前記画像データに関連する属性が定められた格納部が予め形成された記録部と、前記画像データに関連する記号を表示する表示部と、を備える可搬記録媒体であって、載置された場合に前記表示部が前記載置された面と反対側の上面に位置することを特徴とする。
【０００８】
また、本考案に係る可搬記録媒体において、前記記号は、前記画像データが撮影された年号を含むことが好ましい。
【０００９】
また、本考案に係る可搬記録媒体において、前記記号は、前記画像データに写っている人に関連する文字を含むことが好ましい。
【００１０】
また、本考案に係る可搬記録媒体は、ＵＳＢメモリであることが好ましい。
【考案の効果】
【００１１】
本考案によれば、画像データに関連する記号が表示部に表示されている。これにより、記録部に記録されている内容を一見して把握することができる。
【図面の簡単な説明】
【００１２】
【図１】本考案に係る実施形態の可搬記録媒体の斜視図である。
【図２】本考案に係る実施形態の可搬記録媒体を使用するためにキャップ部と本体部とを分離している様子を示す図である。
【図３】本考案に係る実施形態の可搬記録媒体の格納部の構成図である。
【図４】本考案に係る実施形態において、複数の可搬記録媒体を整列配置している様子を示す図である。
【図５】本考案に係る実施形態の可搬記録媒体の変形例を示す図である。
【考案を実施するための形態】
【００１３】
以下に、本考案に係る実施の形態について添付図面を参照しながら詳細に説明する。  以下では、全ての図面において同様の要素には同一の符号を付し、重複する説明を省略する。また、本文中の説明においては、必要に応じそれ以前に述べた符号を用いるものとする。
【００１４】
図１は、可搬記録媒体１０の斜視図である。図２は、可搬記録媒体１０を使用するためにキャップ部１３と本体部１５とを分離している様子を示す図である。
【００１５】
可搬記録媒体１０は、キャップ部１３と本体部１５とを含むケース本体部１７を備える。キャップ部１３と本体部１５は木製のケースであり、例えば、材質として、メープル、チーク、ローズウッド等を用いることが好適であるが、もちろん、プラスチックやその他の材料を用いて構成してもよい。可搬記録媒体１０は、接続部１２と、記録部１４と、表示部１６とを備えるＵＳＢ（ユニバーサル・シリアル・バス）メモリである。
【００１６】
接続部１２は、画像データが記録された装置に接続するためのコネクタである。より具体的には、接続部１２は、パーソナルコンピュータを含むさまざまな周辺機器を接続するためのバス規格であるＵＳＢコネクタである。接続部１２は、本体部１５の一方側の端面から突出している。この突出した接続部１２は、キャップ部１３に形成された収納孔に嵌合される。ここでは、画像データが記録された装置は、パーソナルコンピュータであるとして説明したが、それ以外の例えば、デジタルカメラやスマートフォンであってもよい。この際、ＵＳＢコネクタ以外のバス規格であるコネクタを用いることも可能である。
【００１７】
記録部１４は、接続部１２を介して取得された画像データを記録するメモリである。記録部１４には、画像データに関連する属性が定められた格納部１８が予め形成されている。記録部１４は、本体部１５の内部に内蔵されている。記録部１４は、半導体素子を用いたメモリであり、例えば、書き換え可能な不揮発性のフラッシュメモリを用いて構成することができる。
【００１８】
図３は、格納部１８の構成図である。格納部１８は、第１階層フォルダ部２０と、第２階層フォルダ２２と、第３階層フォルダ２４とを備えている。格納部１８は、フラッシュメモリ等の記録部１４内で写真画像データを分類、整理するための保管場所である。
【００１９】
第１階層フォルダ部２０は、写真が撮影された年号に関連する表示が付されており、例えば、２０１５年に撮影された写真なら「２０１５」という名前が付けられている。もちろん、ここに記載される年号は単年に限らず複数年であってもよい。
【００２０】
第２階層フォルダ部２２は、写真が撮影された月に関連する表示が付されており、例えば、１月に撮影された写真なら「２０１５＿１」、２月なら「２０１５＿２」、３月なら「２０１５＿３」というような一定の法則に基づいて命名されている。また、この法則に限らず、単純に「１月」「２月」・・・「１２月」という形で名付けてもよい。
【００２１】
第３階層フォルダ部２４は、写真を保存するユーザが自由に名前を設定するための新規フォルダ２６ａ〜２６ｅと、保存フォルダ２８と、保留フォルダ３０と、ごみ箱フォルダ３２とを備える。ここで、新規フォルダ２６ａ〜２６ｅは、５つのフォルダであるとして説明するが、数は適宜増減させることができる。
【００２２】
新規フォルダ２６ａ〜２６ｅは、予め命名されておらず、ユーザが自由に名前を付けることができるフォルダである。例えば、新規フォルダ２６ａを、花を撮影した写真を保存するためのフォルダとする場合、「花」と名付ける。新規フォルダ２６ｂを風景写真の整理をするためのフォルダとする場合、「風景」と名付ける。新規フォルダ２６ｃを料理写真の整理をするためのフォルダとする場合、「料理」と名付ける。新規フォルダ２６ｄを家族写真の整理をするためのフォルダとする場合、「家族」と名付ける。新規フォルダ２６ｅを旅行写真の整理をするためのフォルダとする場合、「旅行」と名付ける。もちろん、これらは一例であり、ユーザが自由に名付けたり、後から変更したりすることができる。
【００２３】
保存フォルダ２８は、保存する写真であることは決まっているが、上記新規フォルダ２６ａ〜２６ｅのいずれに分類するかが未確定である写真画像データを一時的に保存するためのフォルダである。
【００２４】
保留フォルダ３０は、保存するか処分するかが未確定であり、一定の時間が経過してから整理した際に再度分類しようと考えている写真画像データを一時的に保存しておくためのフォルダである。
【００２５】
ごみ箱フォルダ３２は、処分、消去することが確定している画像データを一時的に保存するためのフォルダである。このように「保存」「保留」「ごみ箱」の３つのフォルダを用いることで、整理が得意でないユーザであっても比較的少ない時間でデータの整理をすることができる。もちろん、「保存」「保留」「ごみ箱」の３つのフォルダに限定されず、数を増減やカテゴリの変更をしてもよい。なお、消去しようとしている画像データをパーソナルコンピュータのごみ箱に入れてしまうと、写真データ以外のその他のファイルデータなども混在し、容量など関係からごみ箱を空にすることが頻繁に発生することがあるため、消去してしまった後にもう一度その画像データを取り出そうしようとしてもできない場合がある。これに対し、消去しようと考えている画像データをごみ箱フォルダ３２に一時的保存しておくと、時間が経過してからやはり保存したいと考えた場合にも容易にデータを取り出すことができるという利点がある。
【００２６】
表示部１６は、画像データに関連する記号を表示する。表示部１６は、ケース本体部１７の本体部１５の表面に所定の領域を有するように形成されている。本体部１５の表面は、ケース本体部１７の底面が載置された場合に底面と反対側の上面に位置する。表示部１６は、本体部１５の表面において、レーザーマーキング装置等を用いて、文字や数字等を刻印されて形成されている。ここで、「記号」とは、文字、数字、絵を含む意味づけされた図形である。なお、ここでは、上記記号は、レーザーマーキング装置を用いて形成されるとして説明したが、その他の手段で形成してもよく、例えば、シールを貼り付けることでもよい。
【００２７】
表示部１６に示される記号として、画像データに写っている人を特定できる文字を含み、例えば、幸子さんが写っている写真を整理するためのものであれば、「ＳＡＣＨＩＫＯ」という名前を刻印する。もちろん、名前以外のものでもよく、例えば、イニシャルや似顔絵であってもよい。
【００２８】
また、表示部１６に示される記号として、画像データが撮影された年号を含み、例えば、撮影した年号が２０１５年であれば、「２０１５」という数字を刻印する。もちろん、西暦以外の表示でもよく、例えば、「平成２７年」という和暦を用いてもよい。
【００２９】
上記構成の可搬記録媒体１０の作用について説明する。ここでは、写真を保存するユーザがデジタルカメラ等を用いて撮影した大量の写真画像データをパーソナルコンピュータ等に一旦取り込んで、その後、写真画像データを可搬記録媒体１０に保存する場合について説明する。
【００３０】
ユーザは、可搬記録媒体１０のキャップ１３を本体部１５から取り外し、接続部１２をパーソナルコンピュータのＵＳＢ接続口に接続する。そして、マウスやキーボード等を用いて格納部１８をモニタ等の画面に表示する。このとき、パーソナルコンピュータ内に一旦保存された写真画像データが格納されたフォルダも開いておく。
【００３１】
最初に第１階層フォルダ２０をダブルクリックして開き、第２階層フォルダ２２を表示する。第２階層フォルダ２２は、１２個のフォルダで構成され、それぞれ１月、２月、３月・・・１２月と分類されている。したがって、ユーザは、その写真の撮影した月に分けて写真画像データを分類することが出来るため、整理しやすいというメリットがある。
【００３２】
そして、第２階層フォルダ２２をダブルクリックして開き、第３階層フォルダ２４を表示すると、そこには新規フォルダが５つ用意されている。したがって、ユーザは、自由に新規フォルダに名前を与えることができ、例えば、写真画像データが家族写真であれば、「家族」というフォルダ名をつけて、その中に保存することができる。これにより、カテゴリがある程度絞り込まれているため、ユーザが後から必要な写真を探す場合にも効率よく探索できるという利点がある。
【００３３】
また、第３階層フォルダ２４には、保存フォルダ２８、保留フォルダ３０及びごみ箱フォルダ３２が形成されているため、写真画像データをどのフォルダに分類して保存すべきか確定しない場合やそもそも保存すべきか否かを悩んでいる場合等、様々な状況に応じてフォルダを使い分けることができる。
【００３４】
大量の写真をプリントアウトしたものをアルバムとして保存した場合は重たく、パソコンに保存した場合には人にプレゼントすることは難しい。これに対し、可搬記録媒体１０は、持ち運び可能な記録媒体であるため、写真アルバムとして人に見せたりプレゼントしたりすることも容易になるという利点がある。
【００３５】
図４は、複数の可搬記録媒体１０を整列配置している様子を示す図である。このように年号別に写真を整理した複数の可搬記録媒体１０を例えば図４に示されるような収納ケース２１に年号別に配置することができる。この際、各可搬記録媒体１０の底面を載置される面とし、表示部１６を含む表面が見えるように配置する必要がある。これにより、ユーザは、「誰の」「いつの」写真画像データであるかを一見して把握することができるという効果がある。
【００３６】
図５は、可搬記録媒体１０の変形例である可搬記録媒体１０ａを示す図である。可搬記録媒体１０ａと可搬記録媒体１０との相違は、表示部１６ａと格納部１８ａである。
【００３７】
表示部１６ａは、表示部１６のような単年度表示とは異なり、例えば、「２０１５〜」というように複数年度表示にしている。
【００３８】
格納部１８ａは、表示部１６ａに対応して複数年度分のフォルダ、例えば、３つの第１階層フォルダ２０ａ〜２０ｃが予め形成されている。例えば、第１階層フォルダ２０ａは
２０１５年に対応し、第１階層フォルダ２０ｂは２０１６年に対応し、第１階層フォルダ２０ｃは２０１７年に対応づけている。
【００３９】
第１階層フォルダ２０ａをダブルクリックすると第２階層フォルダ２２ａが表示されるが、これは１月〜１２月に分類された１２個のフォルダであり、可搬記録媒体１０の第２階層フォルダ２２と同様の構成である。なお、第３階層フォルダ２４ａについては図示していないが、これについても可搬記録媒体１０の第３階層フォルダ２４と同様の構成である。
【００４０】
このように可搬記録媒体１０ａは３年分のデータを保存するものであるため、例えば、「２０１５年＝年少」「２０１６年＝年中」「２０１７年＝年長」というように子供の幼稚園の３年間の間に撮影した写真を保存することができるという利点がある。
【００４１】
なお、上記可搬記録媒体１０，１０ａでは、第１階層フォルダ〜第３階層フォルダの３階層であるものとして説明したが、階層数は自由に変更してもよい。
【符号の説明】
【００４２】
１０，１０ａ  可搬記録媒体、１２  接続部、１３  キャップ部、１５  本体部、１４  記録部、１６，１６ａ  表面部、１７  ケース本体部、１８  格納部、２０，２０ａ  第１階層フォルダ、２１  収納ケース、２２，２２ａ  第２階層フォルダ、２４  第３階層フォルダ、２６ａ，２６ｂ，２６ｃ，２６ｄ，２６ｅ  新規フォルダ、２８  保存フォルダ、３０  保留フォルダ、３２  ごみ箱フォルダ。
【図１】
0003197782.tif 000003
【図２】
0003197782.tif 000004
【図４】
0003197782.tif 000005
【図５】
0003197782.tif 000006
【図３】
0003197782.tif 000007